【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
材料の所定のパターンを細長い管状基材上に適用するための方法であって、
非円形外周を有する細長いチューブの第１の部分を、第１のモータによって回転されるように構成された係合部材に固定し、それによって、前記細長いチューブを前記係合部材と同時に回転できるようにする、ステップと、
前記第１のモータを動作させて前記細長いチューブを回転させるステップと、
第２のモータを動作させて、前記細長いチューブの長手方向軸線に沿って前記細長いチューブと分配導管との間の相対変位を変化させるステップと、
前記分配導管のオリフィスを前記細長いチューブの表面に近接させたままで、導電性接着剤を流体ディスペンサから前記分配導管を通じて前記分配導管の前記オリフィスから放出して、前記導電性接着剤の所定のパターンを前記細長いチューブの表面上に形成するステップであって、前記導電性接着剤の前記所定のパターンは、前記非円形外周に沿った前記表面の少なくとも１８０°を、前記長手方向軸線に沿った少なくとも２ｍｍの幅にわたって覆う、ステップと、を含む、方法。
【請求項２】
前記細長いチューブの前記表面が、前記細長いチューブの前記第１の部分とは異なる、前記細長いチューブの第２の部分に位置する、請求項１に記載の方法。
【請求項３】
前記導電性接着剤の前記所定のパターンが、前記非円形外周に沿った前記表面の少なくとも２７０°を、前記長手方向軸線に沿った少なくとも２ｍｍの幅にわたって覆う、請求項１または２に記載の方法。
【請求項４】
前記導電性接着剤の前記所定のパターンが、前記非円形外周に沿った前記表面の３６０°を、前記長手方向軸線に沿った少なくとも２ｍｍの幅にわたって覆う、請求項３に記載の方法。
【請求項５】
前記導電性接着剤の前記所定のパターンが、前記非円形外周に沿った前記表面の少なくとも１８０°を、前記長手方向軸線に沿った少なくとも５ｍｍの長さにわたって覆う、請求項１または２に記載の方法。
【請求項６】
前記導電性接着剤の前記所定のパターンが、前記非円形外周に沿った前記表面の２７０°を、前記長手方向軸線に沿った少なくとも５ｍｍの長さにわたって覆う、請求項５に記載の方法。
【請求項７】
前記導電性接着剤の前記所定のパターンが、前記非円形外周に沿った前記表面の３６０°を、前記長手方向軸線に沿った少なくとも５ｍｍの長さにわたって覆う、請求項６に記載の方法。
【請求項８】
放出する前記ステップが、前記分配導管の遠位端部が前記細長いチューブの１回転にわたって前記細長いチューブの前記表面と接触したままとなるように、前記細長いチューブの前記表面に対して前記分配導管の前記遠位端部によって付勢を加えるステップをさらに含む、請求項１〜７のいずれか一項に記載の方法。
【請求項９】
前記第１のモータを動作させて前記細長いチューブを回転させる前記ステップが、前記係合部材から第１の距離だけ離間した前記細長いチューブ上の位置で、前記細長いチューブを第１、第２、および第３のローラと同時に接触させ、それによって、前記第１、第２、および第３のローラがそれぞれ、それらが回転する際に前記細長いチューブと接触したままとなるようにする、ステップをさらに含み、前記第１、第２、および第３のローラのうちの１つが、前記第１、第２、および第３のローラの他の２つに対して前記細長いチューブを付勢するように構成されている、請求項１〜８のいずれか一項に記載の方法。
【請求項１０】
前記第１、第２、および第３のローラのうちの少なくとも１つが、前記細長いチューブに付勢を課すように構成されている、請求項９に記載の方法。
【請求項１１】
前記第１、第２、および第３のローラのうちの前記少なくとも１つが、前記第１、第２、および第３のローラのうちの残りに対して前記細長いチューブを付勢するように構成されている、請求項１０に記載の方法。
【請求項１２】
第１の流動性状態から第２の実質的に固化した状態への、前記導電性接着剤の変化を加速させるか、または補助するステップをさらに含む、請求項１〜１１のいずれか一項に記載の方法。
【請求項１３】
加速させるか、または補助する前記ステップが、前記導電性接着剤を加熱するステップを含む、請求項１２に記載の方法。
【請求項１４】
加速させるか、または補助する前記ステップが、紫外線（ＵＶ）放射を前記導電性接着剤に適用するステップを含む、請求項１２に記載の方法。
【請求項１５】
加速させるか、または補助する前記ステップが、化学系接着促進剤を適用するステップを含む、請求項１２に記載の方法。
【請求項１６】
前記分配導管の少なくとも一部の位置を近接センサによって感知するステップをさらに含む、請求項１〜１５のいずれか一項に記載の方法。
【請求項１７】
前記細長いチューブが前記第１のモータによって回転すると、放出される前記導電性接着剤が前記オリフィスから離されるように、前記導電性接着剤の前記所定のパターンが前記表面に適用される、請求項１に記載の方法。
【請求項１８】
材料の所定のパターンを細長い管状基材上に適用するための機構であって、
第１のモータと、
前記第１のモータによって回転可能であり、長手方向軸線を有する細長い部材を可逆的に把持するように構成され、それによって、前記第１のモータの回転により、前記細長い部材をその長手方向軸線を中心として回転させるようになっている、係合部材と、
第１の流動性状態を有する流体を分配するように構成された流体ディスペンサであって、前記流体ディスペンサが、オリフィスを有する遠位端部を有する細長い分配導管を備え、前記オリフィスが、前記細長い部材の表面に隣接して配置されるように構成されている、流体ディスペンサと、
前記オリフィスがその相対的な位置を前記細長い部材の前記長手方向軸線に沿って変化させるように、前記細長い部材または前記細長い分配導管のうちの少なくとも一方を動かすように構成された、第２のモータと、を備え、
前記細長い分配導管の前記遠位端部が、前記細長い部材の前記表面上に付勢を加えるように構成されている、機構。
【請求項１９】
前記係合部材が、前記第１のモータと同じ回転速度で回転するように構成されている、請求項１８に記載の機構。
【請求項２０】
前記係合部材が、前記第１のモータと異なる回転速度で回転するように構成されている、請求項１８に記載の機構。
【請求項２１】
前記係合部材が、前記第１のモータと異なる回転方向に回転するように構成されている、請求項１８〜２０のいずれか一項に記載の機構。
【請求項２２】
前記係合部材が、前記第１のモータと同じ回転方向に回転するように構成されている、請求項１８〜２０のいずれか一項に記載の機構。
【請求項２３】
前記係合部材を前記第１のモータに連結するギヤ装置をさらに備える、請求項１８〜２２のいずれか一項に記載の機構。
【請求項２４】
前記流体を第２の実質的に固化した状態に変化させるように構成された転換モジュールをさらに備える、請求項１８〜２３のいずれか一項に記載の機構。
【請求項２５】
前記転換モジュールが、前記流体を、高温にさらすことによって、その第１の流動性状態からその第２の実質的に固化した状態に変化させるように構成された加熱器を備える、請求項２４に記載の機構。
【請求項２６】
前記転換モジュールが、前記流体を、放射にさらすことによって、その第１の流動性状態からその第２の実質的に固化した状態に変化させるように構成された光源を備える、請求項２４に記載の機構。
【請求項２７】
前記放射が、紫外線（ＵＶ）放射を含む、請求項２６に記載の機構。
【請求項２８】
前記転換モジュールが、接着促進剤を分配するように構成されたディスペンサを備える、請求項２４に記載の機構。
【請求項２９】
前記細長い分配導管の前記遠位端部が、少なくとも部分的に前記細長い分配導管の片持ち梁曲げにより、前記付勢を加えるように構成されている、請求項１８〜２８のいずれか一項に記載の機構。
【請求項３０】
前記細長い分配導管が、ステンレス鋼を含む、請求項１８〜２９のいずれか一項に記載の機構。
【請求項３１】
前記細長い分配導管が、皮下管を備える、請求項１８〜２９のいずれか一項に記載の機構。
【請求項３２】
前記細長い分配導管の前記遠位端部が、前記細長い分配導管の前記遠位端部に近接して位置する第１の旋回点を中心として少なくとも第１の回転円弧を描いて動くように構成されており、前記細長い分配導管が、付勢要素に連結され、それによって、前記細長い分配導管の前記遠位端部が、少なくとも部分的に前記付勢要素を介して前記付勢を加えるように構成されている、請求項１８〜２０のいずれか一項に記載の機構。
【請求項３３】
前記付勢要素がばねを備える、請求項３２に記載の機構。
【請求項３４】
前記ばねがらせん状ばねを備える、請求項３３に記載の機構。
【請求項３５】
前記オリフィスが円形断面を有する、請求項１８〜３４のいずれか一項に記載の機構。
【請求項３６】
前記オリフィスが、楕円形または長円形断面を有する、請求項１８〜２０のいずれか一項に記載の機構。
【請求項３７】
前記オリフィスが矩形断面を有する、請求項１８〜２０のいずれか一項に記載の機構。
【請求項３８】
それぞれがオリフィスを有する、１つまたは複数の追加の細長い分配導管をさらに備え、前記１つまたは複数の追加の細長い分配導管の各オリフィスが、前記細長い分配導管の前記オリフィスと直線状に並べられている、請求項１８〜２０のいずれか一項に記載の機構。
【請求項３９】
前記細長い分配導管の前記遠位端部が、曲線形状を有する、請求項１８〜２０のいずれか一項に記載の機構。
【請求項４０】
前記細長い分配導管の前記遠位端部が、前記細長い分配導管の近位部分に対して角度を付けられている、請求項１８〜２０のいずれか一項に記載の機構。
【請求項４１】
前記係合部材が、非円形外周を有する細長い部材を可逆的に把持するように構成されている、請求項１８〜２０のいずれか一項に記載の機構。
【請求項４２】
前記係合部材が、楕円形または長円形外周を有する細長い部材を可逆的に把持するように構成されている、請求項４１に記載の機構。
【請求項４３】
前記係合部材が、Ｄ字形外周を有する細長い部材を可逆的に把持するように構成されている、請求項４１に記載の機構。
【請求項４４】
前記細長い分配導管の前記遠位端部と前記細長い部材の前記表面との間の距離を調節するように構成された第３のモータをさらに備える、請求項１８〜２０のいずれか一項に記載の機構。
【請求項４５】
前記細長い分配導管の前記遠位端部と前記細長い部材の前記表面との間の前記距離に関する情報を提供するように構成された近接センサをさらに備える、請求項４４に記載の機構。
【請求項４６】
前記第１のモータの動作を制御するように構成されたコントローラをさらに備える、請求項１８〜２０のいずれか一項に記載の機構。
【請求項４７】
前記第２のモータの動作を制御するように構成されたコントローラをさらに備える、請求項１８〜２０のいずれか一項に記載の機構。
【請求項４８】
前記第１のモータおよび前記第２のモータの動作を制御するように構成されたコントローラをさらに備える、請求項１８〜２０のいずれか一項に記載の機構。
【請求項４９】
前記第１のモータ、前記第２のモータ、および前記第３のモータのうちの少なくとも１つの動作を制御するように構成されたコントローラをさらに備える、請求項４４に記載の機構。
【請求項５０】
前記コントローラが、前記第１のモータおよび前記第２のモータの動作を制御するように構成されている、請求項４９に記載の機構。
【請求項５１】
前記細長い分配導管の存在を感知するように構成された近接センサをさらに備える、請求項３０または３１に記載の機構。
【請求項５２】
前記近接センサが誘導近接センサである、請求項５１に記載の機構。
【請求項５３】
前記近接センサが容量性近接センサである、請求項５１に記載の機構。
【請求項５４】
前記近接センサが磁気近接センサである、請求項５１に記載の機構。
【請求項５５】
前記近接センサがレーザを利用する、請求項５１に記載の機構。
【請求項５６】
材料の所定のパターンを細長い管状基材上に適用するための方法であって、
非円形外周を有する細長いチューブを入手するステップと、
前記細長いチューブの一部を、請求項１８〜２０のいずれか一項に記載の機構の前記係合部材に固定するステップと、
前記機構の前記第１のモータを動作させて前記細長いチューブを回転させるステップと、
前記機構の前記オリフィスが前記細長いチューブの長手方向軸線に沿ってその相対的な位置を変化させるように、前記機構の前記第２のモータを動作させて、前記細長いチューブまたは前記機構の前記細長い分配導管のうちの少なくとも一方を動かすステップと、
導電性接着剤を前記機構の前記流体ディスペンサから放出して、前記導電性接着剤の所定のパターンを前記細長いチューブの表面上に形成するステップと、を含む、方法。
【請求項５７】
非円形外周を有する細長いチューブを入手するステップと、
前記細長いチューブの一部を、請求項１８〜２０のいずれか一項に記載の機構の前記係合部材に固定するステップと、
前記機構の前記第１のモータを動作させて前記細長いチューブを回転させるステップと、
前記機構の前記オリフィスが前記細長いチューブの長手方向軸線に沿ってその相対的な位置を変化させるように、前記機構の前記第２のモータを動作させて、前記細長いチューブまたは前記機構の前記細長い分配導管のうちの少なくとも一方を動かすステップと、
導電性接着剤を前記機構の前記流体ディスペンサから放出して、前記導電性接着剤の所定のパターンを前記細長いチューブの表面上に形成するステップと、
を含むプロセスによって製造された、医療器具。
【請求項５８】
前記医療器具が、気管内チューブ、鼻腔胃（ＮＧ）チューブ、ラリンゲアルマスク、胃洗浄チューブ、胃吸引チューブ、胃減圧チューブ、経口胃チューブ、サンプチューブ、Ｓａｌｅｍチューブ、Ｌｅｖｉｎチューブ、胃内容吸引／栄養チューブ、鼻腔チューブ、経鼻空腸栄養チューブ、胃減圧チューブ、経鼻腸チューブ、Ｍｉｌｌｅｒ−Ａｂｂｏｔｔチューブ、またはＳｅｎｇｓｔａｋｅｎ−Ｂｌａｋｅｍｏｒｅチューブからなるリストから選択された器具を備える、請求項５７に記載の医療器具。
【請求項５９】
前記第１のモータが、前記細長い部材が回転すると、前記分配導管から放出される導電性接着剤が前記オリフィスから離されるように、前記細長い部材を第１の回転方向に回転させるように構成されている、請求項１８〜２０のいずれか一項に記載の機構。
【請求項６０】
材料の所定のパターンを細長い管状基材上に適用するための機構であって、
第１のモータと、
前記第１のモータによって回転可能であり、長手方向軸線を有する細長い部材を可逆的に保持するように構成され、それによって、前記第１のモータの回転により、前記細長い部材をその長手方向軸線を中心として回転させるようになっている、係合部材と、
第１の流動性状態を有する流体を分配するように構成された流体ディスペンサであって、前記流体ディスペンサが、オリフィスを有する遠位端部を有する細長い分配導管を備え、前記オリフィスが、前記細長い部材の表面に隣接して配置されるように構成されている、流体ディスペンサと、
前記オリフィスがその相対的な位置を前記細長い部材の前記長手方向軸線に沿って変化させるように、前記細長い部材または前記細長い分配導管のうちの少なくとも一方を動かすように構成された、第２のモータと、
前記係合部材から長手方向に第１の距離だけ離間し、第１、第２、および第３のローラを含む、可変ベアリングであって、前記第１、第２、および第３のローラがそれぞれ、前記細長い部材の一回転にわたって前記細長い部材の前記表面に同時に接触するように構成されている、可変ベアリングと、を備える、機構。
【請求項６１】
前記可変ベアリングが、基部を含み、前記第１のローラが、前記基部に対して固定された第１の回転軸を中心として回転するように構成されており、前記第２のローラが、前記基部に対して固定された第２の回転軸を中心として回転するように構成されており、前記第３のローラが、前記基部に対して動くことができる第３の回転軸を中心として回転するように構成されている、請求項６０に記載の機構。
【請求項６２】
前記第３のローラが、レバーアームの第１の端部に回転式に連結されており、前記レバーアームの第２の端部が、前記第３の回転軸とは異なる第４の回転軸において、前記基部に回転式に連結されている、請求項６１に記載の機構。
【請求項６３】
前記レバーアームが、前記基部に対して付勢されている、請求項６２に記載の機構。
【請求項６４】
前記レバーアームと前記基部との間に前記付勢をもたらすように構成された付勢要素をさらに備える、請求項６３に記載の機構。
【請求項６５】
前記付勢要素がばねを備える、請求項６４に記載の機構。
【請求項６６】
前記ばねがらせん状ばねを備える、請求項６５に記載の機構。
【請求項６７】
前記係合部材が、前記第１のモータと同じ回転速度で回転するように構成されている、請求項６０〜６６のいずれか一項に記載の機構。
【請求項６８】
前記係合部材が、前記第１のモータと異なる回転速度で回転するように構成されている、請求項６０〜６６のいずれか一項に記載の機構。
【請求項６９】
前記係合部材が、前記第１のモータと異なる回転方向に回転するように構成されている、請求項６０〜６６のいずれか一項に記載の機構。
【請求項７０】
前記係合部材が、前記第１のモータと同じ回転方向に回転するように構成されている、請求項６０〜６６のいずれか一項に記載の機構。
【請求項７１】
前記係合部材を前記第１のモータに連結するギヤ装置をさらに備える、請求項６０〜６６のいずれか一項に記載の機構。
【請求項７２】
前記流体を第２の実質的に固化した状態に変化させるように構成された転換モジュールをさらに備える、請求項６０〜６６のいずれか一項に記載の機構。
【請求項７３】
前記転換モジュールが、前記流体を、高温にさらすことによって、その第１の流動性状態からその第２の実質的に固化した状態に変化させるように構成された加熱器を備える、請求項７２に記載の機構。
【請求項７４】
前記転換モジュールが、前記流体を、放射にさらすことによって、その第１の流動性状態からその第２の実質的に固化した状態に変化させるように構成された光源を備える、請求項７２に記載の機構。
【請求項７５】
前記放射が、紫外線（ＵＶ）放射を含む、請求項７４に記載の機構。
【請求項７６】
前記転換モジュールが、接着促進剤を分配するように構成されたディスペンサを備える、請求項７２に記載の機構。
【請求項７７】
前記オリフィスが、楕円形または長円形断面を有する、請求項６０〜６６のいずれか一項に記載の機構。
【請求項７８】
前記オリフィスが矩形断面を有する、請求項６０〜６６のいずれか一項に記載の機構。
【請求項７９】
それぞれがオリフィスを有する、１つまたは複数の追加の細長い分配導管をさらに備え、前記１つまたは複数の追加の細長い分配導管の各オリフィスが、前記細長い分配導管の前記オリフィスと直線状に並べられている、請求項６０〜６６のいずれか一項に記載の機構。
【請求項８０】
前記細長い分配導管の前記遠位端部が、曲線形状を有する、請求項６０〜６６のいずれか一項に記載の機構。
【請求項８１】
前記細長い分配導管の前記遠位端部が、前記細長い分配導管の近位部分に対して角度を付けられている、請求項６０〜６６のいずれか一項に記載の機構。
【請求項８２】
前記係合部材が、非円形外周を有する細長い部材を可逆的に保持するように構成されている、請求項６０〜６６のいずれか一項に記載の機構。
【請求項８３】
前記係合部材が、楕円形または長円形外周を有する細長い部材を可逆的に保持するように構成されている、請求項８２に記載の機構。
【請求項８４】
前記係合部材が、Ｄ字形外周を有する細長い部材を可逆的に保持するように構成されている、請求項８２に記載の機構。
【請求項８５】
前記細長い分配導管の前記遠位端部と前記細長い部材の前記表面との間の距離を調節するように構成された第３のモータをさらに備える、請求項６０〜６６のいずれか一項に記載の機構。
【請求項８６】
前記細長い分配導管の前記遠位端部と前記細長い部材の前記表面との間の前記距離に関する情報を提供するように構成された近接センサをさらに備える、請求項８５に記載の機構。
【請求項８７】
前記第１のモータの動作を制御するように構成されたコントローラをさらに備える、請求項６０〜６６のいずれか一項に記載の機構。
【請求項８８】
前記第２のモータの動作を制御するように構成されたコントローラをさらに備える、請求項６０〜６６のいずれか一項に記載の機構。
【請求項８９】
前記第１のモータおよび前記第２のモータの動作を制御するように構成されたコントローラをさらに備える、請求項６０〜６６のいずれか一項に記載の機構。
【請求項９０】
前記第１のモータ、前記第２のモータ、および前記第３のモータのうちの少なくとも１つの動作を制御するように構成されたコントローラをさらに備える、請求項８５に記載の機構。
【請求項９１】
前記コントローラが、前記第１のモータおよび前記第２のモータの動作を制御するように構成されている、請求項９０に記載の機構。
【請求項９２】
前記コントローラが、前記第３のモータの動作を制御するようにさらに構成されている、請求項９１に記載の機構。
【請求項９３】
前記細長い分配導管の前記遠位端部が、前記細長い部材の前記表面に付勢を加えるように構成されている、請求項６０〜６６のいずれか一項に記載の機構。
【請求項９４】
１つまたは複数のコンピュータ上で実行された際に、前記第１または第２のモータのうちの少なくとも１つを動作させる命令を提供する、非一時的なコンピュータ可読媒体において実現されたコンピュータプログラムをさらに備える、請求項６０〜９３のいずれか一項に記載の機構。
【請求項９５】
１つまたは複数のコンピュータ上で実行された際に、前記第１、第２、または第３のモータのうちの少なくとも１つを動作させる命令を提供する、非一時的なコンピュータ可読媒体において実現されたコンピュータプログラムをさらに備える、請求項４４、４５、４９、８５、８６、９０、９１、および９２のいずれか一項に記載の機構。
【請求項９６】
材料の所定のパターンを細長い管状基材上に適用するための方法であって、
非円形外周を有する細長いチューブを入手するステップと、
前記細長いチューブの一部を、請求項１８〜２０および６０〜６６のいずれか一項に記載の機構の前記係合部材に固定するステップと、
前記機構の前記第１のモータを動作させて前記細長いチューブを回転させるステップと、
前記機構の前記オリフィスが前記細長いチューブの長手方向軸線に沿ってその相対的な位置を変化させるように、前記機構の前記第２のモータを動作させて、前記細長いチューブまたは前記機構の前記細長い分配導管のうちの少なくとも一方を動かすステップと、
導電性接着剤を前記機構の前記流体ディスペンサから放出して、前記導電性接着剤の所定のパターンを前記細長いチューブの表面上に形成するステップと、を含む、方法。
【請求項９７】
前記導電性接着剤が第１の流動性状態から第２の実質的に固化した状態に変化することを引き起こすか、または可能にするステップをさらに含む、請求項９６に記載の方法。
【請求項９８】
引き起こすか、または可能にする前記ステップが、前記導電性接着剤を高温にさらすステップを含む、請求項９７に記載の方法。
【請求項９９】
引き起こすか、または可能にする前記ステップが、前記導電性接着剤を紫外線（ＵＶ）放射にさらすステップを含む、請求項９７に記載の方法。
【請求項１００】
非円形外周を有する細長いチューブを入手するステップと、
前記細長いチューブの一部を、請求項１８〜２０および６０〜６６のいずれか一項に記載の機構の前記係合部材に固定するステップと、
前記機構の前記第１のモータを動作させて前記細長いチューブを回転させるステップと、
前記機構の前記オリフィスが前記細長いチューブの長手方向軸線に沿ってその相対的な位置を変化させるように、前記機構の前記第２のモータを動作させて、前記細長いチューブまたは前記機構の前記細長い分配導管のうちの少なくとも一方を動かすステップと、
導電性接着剤を前記機構の前記流体ディスペンサから放出して、前記導電性接着剤の所定のパターンを前記細長いチューブの表面上に形成するステップと、
を含むプロセスによって製造された、医療器具。
【請求項１０１】
前記医療器具が、気管内チューブ、鼻腔胃（ＮＧ）チューブ、ラリンゲアルマスク、胃洗浄チューブ、胃吸引チューブ、胃減圧チューブ、経口胃チューブ、サンプチューブ、Ｓａｌｅｍチューブ、Ｌｅｖｉｎチューブ、胃内容吸引／栄養チューブ、鼻腔チューブ、経鼻空腸栄養チューブ、胃減圧チューブ、経鼻腸チューブ、Ｍｉｌｌｅｒ−Ａｂｂｏｔｔチューブ、またはＳｅｎｇｓｔａｋｅｎ−Ｂｌａｋｅｍｏｒｅチューブからなるリストから選択された器具を備える、請求項１００に記載の医療器具。
【請求項１０２】
前記係合部材が磁性を有する、請求項６０〜６６のいずれか一項に記載の機構。
【請求項１０３】
磁性を有する前記係合部材が、前記細長い部材の内腔内部に配置された鉄を含む物体を磁気的に引き付けるように構成されている、請求項１０２に記載の機構。